(57)【要約】【課題】回転軸の先端の形状に特別な加工を施すことなく取り付けることができ、回転軸に対する高い保持力を得られるとともに見栄えのよいツマミ装置を提供すること。【解決手段】ツマミ装置Ａは回転軸Ｂに取り付けるツマミ支持体１と、該ツマミ支持体１に取り付けるツマミ本体２とで構成され、上記ツマミ支持体１は上記回転軸Ｂの先端に取り付ける取付部材３と、該取付部材３を回転軸Ｂに締付ける締付け部材４と、上記取付部材３の上部に形成されたボルト部１０に捩じ込み、上記締付け部材４を下方に押し下げる締付けナット５とで構成され、上記取付部材３は周面に複数の縦割り溝１２を形成するとともに、下方に向かって外方に膨出するスカート部１１を形成し、上記締付け部材４には上記取付部材３に嵌め合わせる嵌合凹部１５が形成され、上記ツマミ本体２には上記締め付け部材に嵌め合せる嵌合凹部２５を形成した。【選択図】図２
2011059990.tif 000002
【特許請求の範囲】
【請求項１】
回転軸に取り付けるツマミ支持体と、該ツマミ支持体に嵌脱可能なツマミ本体とで構成され、以下の要件を備えることを特徴とする、ツマミ装置。
（イ）上記ツマミ支持体は、上記回転軸の先端に取り付ける取付部材と、該取付部材に嵌め合せるとともに上記ツマミ本体を支持する締付け部材と、上記取付部材の上部に形成されたボルト部に捩じ込み、上記締付け部材を下方に押し下げる締付けナットとで構成されていること
（ロ）上記取付部材は周面に複数の縦割り溝を形成するとともに、下方に向かって外方に膨出するスカート部を形成したこと
（ハ）上記締付け部材は上記取付部材に嵌め合わせる嵌合凹部が形成され、上面には上記取付部材のボルト部を突出させる開口部が形成されていること
（二）上記ツマミ本体は上記締付け部材を上面から覆うように形成され、底面には上記締め付け部材に嵌合する嵌合凹部が形成されていること
【請求項２】
前記ツマミ本体の嵌合凹部の内壁面には第1の係合部と第２の係合部とを突出して形成し、前記締付け部材の外周面には第１の係合凹部と第２の係合凹部とを形成し、前記ツマミ本体を前記締付け部材に嵌め合わせたときには、第1の係合部と第１の係合凹部とが係合して周方向の位置決めを行い、第２の係合部と第２の係合凹部とが係合して軸方向の位置決めを行なう、請求項１記載のツマミ装置。
【発明の詳細な説明】
【技術分野】
【０００１】
本発明は、ツマミ装置、詳しくは可変抵抗器などの回転軸に取り付け回転軸を回転操作するためのツマミ装置に関するものである。
【背景技術】
【０００２】
従来、ツマミを回転軸に固定するために、ツマミの側面に固定ネジを捻じ込むネジ孔を設け、このネジ孔に固定ネジを捻じ込んでツマミを回転軸に固定していたが、回転軸の表面に固定ネジの先端がくい込んで傷が付いてしまい固定ネジを外してもツマミが回転軸から抜けなくなるため回転軸に平面部（Ｄカット）を形成する加工が必要であったが、回転軸にＤカットなど加工を施すことなくツマミを取り付けることができるツマミの固定機構が提案されている。（例えば、特許文献１）。このツマミの固定機構は、ホルダを回転軸の先端にはめ込み、その上にツマミを被せ、ツマミの上面に形成されたネジ穴を通してネジをホルダの雌ネジ部にねじ込むとホルダが軸を締付けてツマミと軸の固定ができるようにしたものである。
【先行技術文献】
【特許文献】
【０００３】
【特許文献１】実開平１−１７８６１９号公報
【発明の概要】
【発明が解決しようとする課題】
【０００４】
本発明が解決しようとする問題点は、上述のツマミの固定機構では、ツマミ自体が破損・汚損などに起因する交換作業においては、ネジを緩めて取り外すことにより軸からツマミを取り外すことになるが、ホルダも軸から外れてしまう問題もあり、ネジがツマミの上に露出しているので見栄えの悪い問題もあるし、工具を使ってネジを外さなければつまみを交換することができない問題もあった。またホルダとツマミとを一体構造にすることも考えられるが、ツマミを交換する場合はホルダも交換することになり、交換する必要のないものまで廃棄することになるため廃棄物が増える恐れが考えられる。
【０００５】
本発明は、上記問題点を解決し、ツマミ本体を支持するツマミ支持体を回転軸に固定したままツマミ本体の取り外し、取り付け作業が工具を用いることなく行なうことができ作業負担の軽減と廃棄物の削減を図るとともに、見栄えのよいツマミ装置を提供することを課題とする。
【課題を解決するための手段】
【０００６】
前記課題を解決するために本発明に係るツマミ装置は、回転軸に取り付けるツマミ支持体と、該ツマミ支持体に嵌脱可能なツマミ本体とで構成され、以下の要件を備えることを特徴とする。
（イ）上記ツマミ支持体は、上記回転軸の先端に取り付ける取付部材と、該取付部材に嵌め合せるとともに上記ツマミ本体を支持する締付け部材と、上記取付部材の上部に形成されたボルト部に捩じ込み、上記締付け部材を下方に押し下げる締付けナットとで構成されていること
（ロ）上記取付部材は周面に複数の縦割り溝を形成するとともに、下方に向かって外方に膨出するスカート部を形成したこと
（ハ）上記締付け部材は上記取付部材に嵌め合わせる嵌合凹部が形成され、上面には上記取付部材のボルト部を突出させる開口部が形成されていること
（二）上記ツマミ本体は上記締付け部材を上面から覆うように形成され、底面には上記締め付け部材に嵌合する嵌合凹部が形成されていること
【０００７】
なお、前記ツマミ本体の嵌合凹部の内壁面には第1の係合部と第２の係合部とを突出して形成し、前記締付け部材の外周面には第１の係合凹部と第２の係合凹部とを形成し、前記ツマミ本体を前記締付け部材に嵌め合わせたときには、第1の係合部と第１の係合凹部とが係合して周方向の位置決めを行い、第２の係合部と第２の係合凹部とが係合して軸方向の位置決めを行なうことが好ましい。
【発明の効果】
【０００８】
請求項１の発明によれば、回転軸の先端の形状に条件を設ける必要がなく、柔軟に対応することができ、見栄えに優れたツマミ装置を提供することができる。
【０００９】
請求項２の発明によれば、回転軸に固定したツマミ支持体にツマミ本体を嵌め込むと、第１の係合部と第１の係合凹部とが係合して周方向の位置決めを行うことができるし、第２の係合部と第２の係合凹部とは係合により適度な保持力で保持されている状態なので意図的にツマミ本体を引き抜けば回転軸にツマミ支持体を固定したままツマミ支持体から取り外すことができ、ツマミ本体が破損・汚損などした時には工具を用いることなく容易に他のツマミ本体と交換することができるし、ツマミ支持体は残したままツマミ本体のみを交換できるので作業の軽減と廃棄物の削減とを図ることができる。
【図面の簡単な説明】
【００１０】
【図１】本発明に係るツマミ装置の構成を示す説明図
【図２】上記ツマミ装置の分解斜視図
【図３】（ａ）〜（ｃ）は取付部材の底面側斜視図、締付け部材のＸ−Ｘ線断面図及びツマミ本体の底面側斜視図
【図４】（ａ）〜（ｄ）は取付部材に締付け部材を取り付ける過程を説明する断面図
【図５】（ａ）〜（ｃ）はツマミ支持体にツマミ本体を取り付ける過程を説明する断面図
【発明を実施するための形態】
【００１１】
図１は、ツマミ装置Ａの斜視図を示し、このツマミ装置Ａは、回転軸Ｂの先端に取り付けてツマミ装置Ａを手で回すことにより回転軸Ｂを回すためのもので、ツマミ装置Ａは回転軸Ｂに取り付けるツマミ支持体１と、このツマミ支持体１に取り付けるツマミ本体２とで構成されている。
【００１２】
ツマミ支持体１は、図２に示すように、回転軸Ｂの先端部に取り付ける取付部材３と、この取付部材３を外側から締付けて回転軸Ｂに固定させる締付け部材４と、この締付け部材４に締め付けを行なわせる締め付けナット５とで構成されている。
【００１３】
取付部材３は、上部３ａが上方に突出して上記締め付けナット５を螺合させるボルト部１０が形成され、下部３ｂは中央部分から下方に向かって外方に膨出するスカート部１１が形成されるとともに、底面から上方に向かって十字状に切り込みを入れ、周方向に対し等間隔に縦割り溝１２が形成されている。
【００１４】
この取付部材３の底面には回転軸Ｂの先端を挿入するための挿入穴１３が形成され（図３（ａ）参照）、上記縦割り溝１２はこの挿入穴１３に貫通している。そのため取付部材３の下部３ｂは外側からの押圧力で内方に撓み、挿入穴１３の内径を縮小させることができるので、挿入穴１３に回転軸Ｂの先端を差し込み、スカート部１１に対して外側から圧力を加えると挿入穴１３の内側が回転軸Ｂの外周面に圧着し、取付部材３を回転軸Ｂに固定することができるようになっている。
【００１５】
締付け部材４は、上記取付部材３に嵌め合わせることができるように底面から上面に向かって嵌合凹部１５が形成されるとともに、上面には円形の開口部１６が嵌合凹部１５に連通して形成され、締付け部材４を取付部材３に嵌め合わせたときには取付部材３のボルト部１０が開口部１６から上方に突出するようになっている。
【００１６】
上記嵌合凹部１５は第１の嵌合凹部１５ａと第２の嵌合凹部１５ｂとで構成され（図３（ｂ）参照）、第２の嵌合部１５ｂは下方に向かって拡開し、締付け部材４を取付部材３に嵌め合わせたときにスカート部１１と第２の嵌合凹部１５ｂとが係合し、締付け部材４を安定した状態で取付部材３に取り付けることができるようになっている。
【００１７】
そして、スカート部１１と第２の嵌合凹部１５ｂとが係合した状態で、締付け部材４を取付部材３に押し込むとスカート部１１には第２の嵌合凹部１５ｂの上部に位置する径の小さい第１の嵌合凹部１５ａがスカート部１１を上から押圧するので、取付部材３の下部３ｂは内方に撓み、挿入穴１３の内面を回転軸Ｂの外周面に圧接させることができるようになっている。
【００１８】
また、締付け部材４の上部側面にはツマミ本体２を装着したときツマミ本体２が締付け部材４に対して回転方向にずれないようにするための第１の係合凹部である切欠き部１７が形成され、下部にはツマミ本体２を装着したときツマミ本体２が締付け部材４から容易に抜けないように固定する第２の係合凹部である係合溝１８が周設されている。
【００１９】
締付けナット５は上記取付部材３の上部に形成されたボルト部１０に螺合するように形成され、上面にはマイナスドライバの先端を係合させる係合溝２０が形成されている。
【００２０】
ツマミ本体２は、指でつまめる大きさの円形を基本としたキャップで、底部には上記締付け部材４を嵌め合わせる嵌合凹部２５が形成され、嵌合凹部２５の内周面には対向して締付け部材４の切欠き部１７に係合し、ツマミ本体２が周方向にずれないようにする第１の係合部である係合突片２６と、係合溝１８に係合し、ツマミ本体２が容易に抜けないようにする第２の係合部である係合突部２７とが形成されている(図３（ｃ）参照)。
【００２１】
次に、上記構成のツマミ装置Ａの使用態様について説明する。先ず、図４（ａ）に示すように、回転軸Ｂの先端に取付部材３の挿入穴１３を対応させて、挿入穴１３に回転軸Ｂの先端を差し込んで取付部材３を回転軸Ｂの先端に装着する（図４（ｂ）参照）。次に、締付け部材４の嵌合凹部１５を取付部材３に対応するようにして締付け部材４を取付部材３に嵌め合わせる（図４（ｃ）参照）。この状態では、第２の嵌合凹部１５ｂとスカート部１１とが係合して締付け部材４の降下は阻止されるとともに安定した状態で装着される。
【００２２】
嵌合時には、取付部材３のボルト部１０が締付け部材４の開口部１６から上方に突出しているので、このボルト部１０に締め込みナット５を指でつまんで軽く回して締付け部材４の上面に当接するまで捻じ込む（図４（ｄ）参照）。この状態では、取付部材３と締付け部材４との間には空間ａが存在し、締付け部材４を下方に押し下げることができるようになっている。
【００２３】
次に、締め込みナット５の上面に形成された係合溝２０にマイナスドライバの先端を係合させ、締め込みナット５を締め込む。締め込みナット５を締めこんでいくと、空間ａの隙間があるので締付け部材４を取付部材３に対して強制的に降下させることができる。締付け部材４を降下させる時、締付け部材４の第１の嵌合凹部１５ａの下端がスカート部１１の上面を押しながら降下するので、スカート部１１は内方に撓んで挿入穴１３の内面が回転軸Ｂの周面に強制的に押し付けられ、ツマミ支持体１は回転軸Ｂに固定された状態になる（図５（ａ）参照）。
【００２４】
ツマミ支持体１が回転軸Ｂに固定されたならば、ツマミ本体２をツマミ支持体１に取り付ける。この時、図５（ｂ）に示すように嵌合凹部２５の内壁に形成された係合突片２６が締付け部材４の側面に形成された切欠き部１７に対応するように位置を合わせて嵌合凹部２５にツマミ支持体１を嵌め合わせることにより、図５（ｃ）に示すように、ツマミ支持体１にツマミ本体２を取り付けることができ、ツマミ装置Ａを回転軸Ｂに固定することができる。
【００２５】
この状態では、締付け部材４の切欠き部１７にツマミ本体２の係合突片２６が係合しているので締め付け部材４に対してツマミ本体２が回転方向にずれることはない。また、締付け部材４の係合溝１８にツマミ本体２の係合突部２７が係合しているのでツマミ本体２は締付け部材４（ツマミ支持体１）に適度な保持力で保持されている状態でツマミ支持体１に取り付けられていることになるので意図的にツマミ本体２を引き抜かない限りツマミ支持体１から外れることはない。
【００２６】
上述したように、取付部材３を回転軸Ｂに取り付け、この取付部材３に締付け部材４を嵌め合わせ、締め込みナット５を取付部材３のボルト部１０に締め込めば、締付け部材４が取付部材３のスカート部１１を回転軸Ｂに圧着させてツマミ支持体１を回転軸Ｂに固定することができるので、回転軸Ｂに固定したツマミ支持体１にツマミ本体２を嵌め込めば回転軸Ｂにツマミ装置Ａを取り付けることができ、回転軸の先端にDカットなどの加工を施すことなくツマミ装置Ａを取り付けることができる。
【００２７】
しかも、回転軸Ｂの中心とツマミ本体２の中心とが一致するので、回転操作時にツマミ本体２が公転する違和感を感じることなく操作をすることができる。
【００２８】
また回転軸に固定したツマミ支持体にツマミ本体を嵌め込むだけで第１の係合部と第１の係合凹部とが係合して周方向の位置決めができ、第２の係合部と第２の係合凹部とが係合して適度な保持力でツマミ本体をツマミ支持体に取り付けることができるので、ツマミ本体が破損・汚損などで交換の必要性が発生した時には多少強い力で引き抜けば工具を用いることなく容易に取り外して他のツマミ本体と交換することができるし、ツマミ支持体とツマミ本体とは一体構造ではないので、交換を必要とする部品を最小限にとどめることにより構成部品の分別ができ省資源に寄与するツマミ装置を提供することができる。
【符号の説明】
【００２９】
１    ツマミ支持体
２    ツマミ本体
３    取付部材
４    締付け部材
５    締付けナット
１１    スカート部
１２    縦割り溝
１５    嵌合凹部
１７    第１の係合凹部（切欠き部）
１８    第２の係合凹部（係合溝）
２５    嵌合凹部
２６    第１の係合部（係合突片）
２７    第２の係合部（係合突部）
【図１】
2011059990.tif 000003
【図２】
2011059990.tif 000004
【図３】
2011059990.tif 000005
【図４】
2011059990.tif 000006
【図５】
2011059990.tif 000007